【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
両面原稿の第１面及び第２面をそれぞれ読み取る第１及び第２の読取手段と、
前記第１及び第２の読取手段からそれぞれ出力される画像データに対してＭＴＦ（Modulation Transfer Function）特性の補正をＭＴＦ補正フィルタにより行うＭＴＦ補正手段と、
前記第１及び第２の読取手段の各読取範囲を分割して得られた複数の領域それぞれのＭＴＦ特性値を検出し、前記複数の領域の少なくとも１つの領域のＭＴＦ特性値に基づく基準ＭＴＦ特性値と前記複数の領域それぞれのＭＴＦ特性値から前記複数の領域それぞれのＭＴＦ補正率を算出し、前記複数の領域それぞれに対応したＭＴＦ補正フィルタのフィルタ係数を前記複数の領域それぞれのＭＴＦ補正率に基づいて設定するフィルタ係数設定手段と、
を有し、
前記ＭＴＦ補正手段は、前記第１及び第２の読取手段からそれぞれ出力される前記複数の領域それぞれの画像データに対して、前記フィルタ係数設定手段によってフィルタ係数が設定され、前記複数の領域それぞれに対応したＭＴＦ補正フィルタによりＭＴＦ特性の補正を行うことを特徴とする画像読取装置。
【請求項２】
前記複数の領域は、前記第１及び第２の読取手段の各読取範囲を、該第１及び第２の読取手段の各主走査方向に沿って分割して得られた領域であることを特徴とする請求項１記載の画像読取装置。
【請求項３】
前記複数の領域は、前記第１及び第２の読取手段の各読取範囲を、該第１及び第２の読取手段の各副走査方向に沿って分割して得られた領域であることを特徴とする請求項１記載の画像読取装置。
【請求項４】
前記複数の領域は、前記各読取範囲を均等に分割して得られた領域であることを特徴とする請求項１記載の画像読取装置。
【請求項５】
前記フィルタ係数設定手段は、前記複数の領域それぞれのＭＴＦ特性値のうち最小のＭＴＦ特性値を前記基準ＭＴＦ特性値とすることを特徴とする請求項１記載の画像読取装置。
【請求項６】
両面原稿の第１面及び第２面をそれぞれ読み取る第１及び第２の読取手段と、
前記第１及び第２の読取手段からそれぞれ出力される画像データに対してＭＴＦ（Modulation Transfer Function）特性の補正をＭＴＦ補正フィルタにより行うＭＴＦ補正手段と、を有する画像読取装置の制御方法であって、
前記第１及び第２の読取手段の各読取範囲を分割して得られた複数の領域それぞれのＭＴＦ特性値を検出し、前記複数の領域の少なくとも１つの領域のＭＴＦ特性値に基づく基準ＭＴＦ特性値と前記複数の領域それぞれのＭＴＦ特性値から前記複数の領域それぞれのＭＴＦ補正率を算出し、前記複数の領域それぞれに対応したＭＴＦ補正フィルタのフィルタ係数を前記複数の領域それぞれのＭＴＦ補正率に基づいて設定する画像読取装置の制御方法。
【手続補正２】
【補正対象書類名】明細書
【補正対象項目名】発明の名称
【補正方法】変更
【補正の内容】
【発明の名称】画像読取装置及びその制御方法
【手続補正３】
【補正対象書類名】明細書
【補正対象項目名】０００１
【補正方法】変更
【補正の内容】
【０００１】
本発明は、画像読取装置及びその制御方法に関し、特に、両面原稿の第１面及び第２面をそれぞれ読み取り、画像データとして出力する第１及び第２の読取手段と、該第１及び第２の読取手段からそれぞれ出力される画像データに対してＭＴＦ特性の補正をそれぞれ行うための第１及び第２のＭＴＦ補正フィルタとを備えた画像読取装置及びその制御方法に関する。
【手続補正４】
【補正対象書類名】明細書
【補正対象項目名】０００７
【補正方法】変更
【補正の内容】
【０００７】
こうした読取特性の差のうちＭＴＦ特性に関しては、従来、読取光学系の調整や、読み取った画像データに対してＭＴＦフィルタ処理や平滑化フィルタ処理などを行う画像読取装置がある（例えば、特許文献３参照）。この画像読取装置では、原稿流し読みや原稿固定読みなどの読取モード間のＭＴＦ特性の差が低減される。
【特許文献１】特開２００１−２８５５９５号公報
【特許文献２】特開２００４−１８７１４４号公報
【特許文献３】特開２００１−１５７０５２号公報（特許番号３６６０１８０号）
【手続補正５】
【補正対象書類名】明細書
【補正対象項目名】０００８
【補正方法】変更
【補正の内容】
【０００８】
しかしながら、特許文献３に示されるように原稿固定読みや原稿流し読みなどの読取モードによるフィルタ変更を行っても、ＭＴＦ特性が同一面内や表裏間で大きくばらついている場合には、原稿表裏間でのＭＴＦ特性の厳密な合わせ込みはできない。そのため、同一面内でのモアレや表裏間の色差の低減には限界があった。
【手続補正６】
【補正対象書類名】明細書
【補正対象項目名】０００９
【補正方法】変更
【補正の内容】
【０００９】
本発明はこのような問題点に鑑みてなされたものであって、両面原稿を読み取る際に、ＭＴＦ特性の同一面内ムラの低減を図るとともに、原稿表裏間のＭＴＦ特性を同じにすることで表裏間の濃度差や色差の発生を防止することを図った画像読取装置及びその制御方法を提供することを目的とする。
【手続補正７】
【補正対象書類名】明細書
【補正対象項目名】００１０
【補正方法】変更
【補正の内容】
【００１０】
上記目的を達成するために、請求項１記載の発明によれば、両面原稿の第１面及び第２面をそれぞれ読み取る第１及び第２の読取手段と、前記第１及び第２の読取手段からそれぞれ出力される画像データに対してＭＴＦ（Modulation Transfer Function）特性の補正をＭＴＦ補正フィルタにより行うＭＴＦ補正手段と、前記第１及び第２の読取手段の各読取範囲を分割して得られた複数の領域それぞれのＭＴＦ特性値を検出し、前記複数の領域の少なくとも１つの領域のＭＴＦ特性値に基づく基準ＭＴＦ特性値と前記複数の領域それぞれのＭＴＦ特性値から前記複数の領域それぞれのＭＴＦ補正率を算出し、前記複数の領域それぞれに対応したＭＴＦ補正フィルタのフィルタ係数を前記複数の領域それぞれのＭＴＦ補正率に基づいて設定するフィルタ係数設定手段と、を有し、前記ＭＴＦ補正手段は、前記第１及び第２の読取手段からそれぞれ出力される前記複数の領域それぞれの画像データに対して、前記フィルタ係数設定手段によってフィルタ係数が設定され、前記複数の領域それぞれに対応したＭＴＦ補正フィルタによりＭＴＦ特性の補正を行うことを特徴とする画像読取装置が提供される。
【手続補正８】
【補正対象書類名】明細書
【補正対象項目名】００１１
【補正方法】変更
【補正の内容】
【００１１】
また、請求項６記載の発明によれば、両面原稿の第１面及び第２面をそれぞれ読み取る第１及び第２の読取手段と、前記第１及び第２の読取手段からそれぞれ出力される画像データに対してＭＴＦ（Modulation Transfer Function）特性の補正をＭＴＦ補正フィルタにより行うＭＴＦ補正手段と、を有する画像読取装置の制御方法であって、前記第１及び第２の読取手段の各読取範囲を分割して得られた複数の領域それぞれのＭＴＦ特性値を検出し、前記複数の領域の少なくとも１つの領域のＭＴＦ特性値に基づく基準ＭＴＦ特性値と前記複数の領域それぞれのＭＴＦ特性値から前記複数の領域それぞれのＭＴＦ補正率を算出し、前記複数の領域それぞれに対応したＭＴＦ補正フィルタのフィルタ係数を前記複数の領域それぞれのＭＴＦ補正率に基づいて設定する画像読取装置の制御方法が提供される。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
本発明によれば、両面原稿の各面をそれぞれ読み取る第１及び第２の読取手段からそれぞれ出力される画像データに対してＭＴＦ特性の補正をＭＴＦ補正フィルタにより行うＭＴＦ補正手段と、第１及び第２の読取手段の各読取範囲を分割して得られた複数の領域それぞれのＭＴＦ特性値を検出し、複数の領域の少なくとも１つの領域のＭＴＦ特性値に基づく基準ＭＴＦ特性値と複数の領域それぞれのＭＴＦ特性値から複数の領域それぞれのＭＴＦ補正率を算出し、複数の領域それぞれに対応したＭＴＦ補正フィルタのフィルタ係数を複数の領域それぞれのＭＴＦ補正率に基づいて設定するフィルタ係数設定手段と、を有し、ＭＴＦ補正手段は、第１及び第２の読取手段からそれぞれ出力される複数の領域それぞれの画像データに対して、フィルタ係数設定手段によってフィルタ係数が設定され、複数の領域それぞれに対応したＭＴＦ補正フィルタによりＭＴＦ特性の補正を行う。